(57)【要約】【課題】放電動作による電極への付着物の付着に起因した集塵機能の低下を抑制可能な電気集塵装置を得ること。【解決手段】電気集塵装置の制御部は、処理対象となる空気中の粒子状物質の数量を検出する粒子センサの検出結果に基づいて、放電電極に既定の電圧値の電圧が印加されている状態において処理対象となる空気中の粒子状物質の数量が既定の下限基準値以下となった場合に、放電電極への電圧の印加を停止させる制御を行い、放電電極への電圧の印加が停止されている状態において、処理対象となる空気中の粒子状物質の数量が既定の上限基準値以上となった場合に、放電電極に既定の電圧値の電圧を印加する制御を行う。また、制御部は、荷電部の稼働開始時に、既定の電圧値よりも高い電圧を放電電極に印加した後に、既定の電圧値を放電電極に印加する制御を行う。【選択図】図６
2018126714.tif 000002
【特許請求の範囲】
【請求項１】
処理対象となる空気中の粒子状物質の数量を検出する粒子センサと、
グランド電位とされた対向電極と、前記対向電極と対向する放電電極とを備え、前記放電電極に電圧を印加することによって前記放電電極と前記対向電極との間にコロナ放電を発生させて前記空気中の粒子状物質を荷電させる荷電部と、
前記荷電部で荷電された前記粒子状物質をクーロン力によって捕集する集塵部と、
前記放電電極に電圧を印加する電源と、
前記電源から前記放電電極への電圧の印加を制御する制御部と、
を備え、
前記制御部は、前記粒子センサの検出結果に基づいて、
前記放電電極に既定の電圧値の電圧が印加されている状態において前記処理対象となる空気中の粒子状物質の数量が既定の下限基準値以下となった場合に、前記放電電極への電圧の印加を停止させる制御を行い、
前記放電電極への電圧の印加が停止されている状態において、前記処理対象となる空気中の粒子状物質の数量が既定の上限基準値以上となった場合に、前記放電電極に既定の電圧値の電圧を印加する制御を行い、
前記荷電部の稼働開始時に、前記既定の電圧値よりも高い電圧を前記放電電極に印加した後に、前記既定の電圧値を前記放電電極に印加する制御を行うこと、
を特徴とする電気集塵装置。
【請求項２】
前記制御部は、前記粒子センサの検出結果に基づいて、
前記放電電極に既定の電圧値の電圧が印加されている状態において前記処理対象となる空気中の粒子状物質の数量が既定の下限基準値以下となった場合に、前記放電電極に印加する電圧を複数段階で段階的に降圧させて前記放電電極への電圧の印加を停止させる制御を行うこと、
を特徴とする請求項１に記載の電気集塵装置。
【請求項３】
請求項１または２に記載の電気集塵装置と、
空気を前記電気集塵装置に送風する送風部と、
を備えることを特徴とする送風機。
【請求項４】
前記放電電極に既定の電圧値の電圧が印加されている状態において前記送風部を既定の時間だけ停止させる制御を行う送風部制御部を備えること、
を特徴とする請求項３に記載の送風機。
【請求項５】
前記送風部と前記電気集塵装置の前記荷電部との間に配置されて前記送風部から送風される空気の前記荷電部への流入を遮断するシャッターと、
前記放電電極に既定の電圧値の電圧が印加されている状態において前記シャッターを既定の時間閉じる制御を行うシャッター制御部と、
を備えることを特徴とする請求項３に記載の送風機。
【発明の詳細な説明】
【技術分野】
【０００１】
本発明は、電気集塵装置、およびこの電気集塵装置を備えた送風機に関する。
【背景技術】
【０００２】
近年、スギまたはヒノキに代表される花粉、および粒子状物質（Particulate  Matter：ＰＭ）といった空気中の微粒子状物質の人体への影響を緩和するため、室内の微粒子状物質を除去する空気清浄機が使用されている。以下、微粒子状物質を単に微粒子と呼ぶ場合がある。空気清浄機における微粒子の除去方法として、フィルターを用いて微粒子を機械的に除去する方法、およびイオン等を放出して微粒子を電気的に除去する方法が利用されている。
【０００３】
また、微粒子を電気的に除去する方法として、コロナ放電を利用した電気集塵技術が利用されている。電気集塵技術を用いた空気清浄機は、微粒子に電荷を与える荷電部と、荷電された微粒子を捕捉する集塵部とを備える。そして、荷電部によって荷電された微粒子がクーロン力によって集塵部で捕捉されることで、微粒子を含んだ空気が微粒子を含まない清浄空気とされて空間に排出される。
【０００４】
このような空気清浄機として、特許文献１には、コロナ放電を利用して空気を浄化する空気浄化装置が開示されている。特許文献１に開示された空気浄化装置は、放電電極と対向電極との間に電圧を印加することで生じる電子、イオン、オゾン、およびラジカルといった活性種によって、空間中の集塵および脱臭を行うことができる。
【０００５】
また、特許文献２には、空気中の微粒子数を測定する粒子測定装置を備え、微粒子の粒子数の検出結果に対応して、塵埃に電荷を付与して移動捕集する電界をつくる高電圧電源を制御する空気清浄器が開示されている。
【先行技術文献】
【特許文献】
【０００６】
【特許文献１】特許第３７７５４１７号公報
【特許文献２】特許第３１０７２７７号公報
【発明の概要】
【発明が解決しようとする課題】
【０００７】
しかしながら、上記特許文献１の技術によれば、屋内でコロナ放電を行うと、空気中に存在する揮発性のシリコン化合物が酸化されて絶縁物であるシリカ（ＳｉＯ２）が生成されて放電電極の先端に付着する。そして、空気清浄機の使用時間が増えるにしたがって、放電電極の先端にシリカが堆積していく。放電電極の先端に付着物であるシリカが付着すると、シリカが抵抗となって放電電極での放電が阻害され、電荷の放出量および活性種の生成量の低下を招き、微粒子を荷電させる効率が低下する。そして、このような効率の低下は、放電電極の先端にシリカが堆積していくにしたがって顕著となる。このため、空気清浄機を長期間にわたって運転させることによって、空気清浄機の空気清浄機能が徐々に低下する、という問題があった。
【０００８】
また、特許文献２では、微粒子の粒子数の検出結果に対応して高電圧電源の出力制御を行っているが、放電電極へのシリカの付着は一切考慮されておらず、空気清浄器を長期間にわたって運転させることによって、空気清浄器の空気清浄機能が徐々に低下する、という問題があった。
【０００９】
本発明は、上記に鑑みてなされたものであって、放電動作による電極への付着物の付着に起因した集塵機能の低下を抑制可能な電気集塵装置および送風機を得ることを目的とする。
【課題を解決するための手段】
【００１０】
上述した課題を解決し、目的を達成するために、本発明にかかる電気集塵装置は、処理対象となる空気中の粒子状物質の数量を検出する粒子センサと、グランド電位とされた対向電極と、対向電極と対向する放電電極とを備え、放電電極に電圧を印加することによって放電電極と対向電極との間にコロナ放電を発生させて空気中の粒子状物質を荷電させる荷電部と、を備える。また、電気集塵装置は、荷電部で荷電された粒子状物質をクーロン力によって捕集する集塵部と、放電電極に電圧を印加する電源と、電源から放電電極への電圧の印加を制御する制御部と、を備える。制御部は、粒子センサの検出結果に基づいて、放電電極に既定の電圧値の電圧が印加されている状態において処理対象となる空気中の粒子状物質の数量が既定の下限基準値以下となった場合に、放電電極への電圧の印加を停止させる制御を行い、放電電極への電圧の印加が停止されている状態において、処理対象となる空気中の粒子状物質の数量が既定の上限基準値以上となった場合に、放電電極に既定の電圧値の電圧を印加する制御を行う。また、制御部は、荷電部の稼働開始時に、既定の電圧値よりも高い電圧を放電電極に印加した後に、既定の電圧値を放電電極に印加する制御を行う。
【発明の効果】
【００１１】
本発明によれば、放電動作による電極への付着物の付着に起因した集塵機能の低下を抑制可能な電気集塵装置が得られる、という効果を奏する。
【図面の簡単な説明】
【００１２】
【図１】本発明の実施の形態１にかかる電気集塵装置の概略構成を示す模式図
【図２】本発明の実施の形態１にかかる電気集塵装置の制御に関わる主要部分の機能構成図
【図３】本発明の実施の形態１にかかる処理回路のハードウェア構成の一例を示す図
【図４】本発明の実施の形態１にかかる電気集塵装置における集塵部高圧電極と集塵部対向電極との配置構成を示す模式図
【図５】本発明の実施の形態１にかかる電気集塵装置における集塵部高圧電極と集塵部対向電極との他の配置構成を示す模式図
【図６】本発明の実施の形態１にかかる電気集塵装置における集塵動作の手順を示すフローチャート
【図７】本発明の実施の形態１にかかる電気集塵装置における集塵動作の他の手順を示すフローチャート
【図８】本発明の実施の形態１にかかる電気集塵装置の集塵動作が図７に示されるフローチャートの手順で実行される場合の、荷電部放電電極に印加される電圧の波形を示す特性図
【図９】本発明の実施の形態２にかかる送風機の概略構成を示す模式図
【図１０】本発明の実施の形態２にかかる送風機の他の概略構成を示す要部模式図
【発明を実施するための形態】
【００１３】
以下に、本発明の実施の形態にかかる電気集塵装置および送風機を図面に基づいて詳細に説明する。なお、この実施の形態によりこの発明が限定されるものではない。
【００１４】
実施の形態１．
図１は、本発明の実施の形態１にかかる電気集塵装置１の概略構成を示す模式図である。図１に示されるように、荷電部２と、集塵部３と、微粒子センサ１１と、制御部１２と、を備える。荷電部２は、高電圧電源６、荷電部放電電極７および荷電部対向電極８により構成され、荷電部２に流入する汚染空気４中に含まれる微粒子を荷電する。集塵部３は、高電圧電源６、集塵部高圧電極９および集塵部対向電極１０により構成され、集塵部高圧電極９と集塵部対向電極１０から形成される電界からのクーロン力により、荷電部２で荷電された微粒子を捕捉する。そして、集塵部３において微粒子が捕捉された汚染空気４は清浄空気５として集塵部の外部に排出される。
【００１５】
高電圧電源６は、荷電部２および集塵部３に直流電圧、交流電圧またはパルス状電圧のいずれかの電圧を印加して、荷電部放電電極７と荷電部対向電極８との間、および集塵部高圧電極９と集塵部対向電極１０との間に電位差を付与する電源である。高電圧電源６は、荷電部２の荷電部放電電極７に電圧を印加して荷電部放電電極７と荷電部対向電極８との間に電位差を発生させる。また、高電圧電源６は、集塵部３の集塵部高圧電極９に電圧を印加して集塵部高圧電極９と集塵部対向電極１０との間に電位差を発生させて、集塵部高圧電極９と集塵部対向電極１０との間に静電界を形成する。
【００１６】
高電圧電源６が荷電部放電電極７または集塵部高圧電極９に印加する電圧の極性は、電気集塵装置１の用途に合わせて適宜選択されればよい。なお、荷電部放電電極７に正極性の電圧を印加することで、荷電部放電電極７で発生する放電によって生成されるオゾンの濃度を低くすることができる。このため、荷電部放電電極７に印加する電圧は、正極性の電圧であることが好ましい。また、ここでは、高電圧電源６が荷電部２と集塵部３との両方に共通して接続された構成としているが、荷電部２と集塵部３とに別々の高電圧電源６が接続された構成としてもよい。
【００１７】
荷電部放電電極７は、面内において一定間隔で突起を備える金属板、ワイヤ線またはリボン線で構成される。荷電部放電電極７は、荷電部対向電極８との間に既定の間隔をおいて対向し、かつ汚染空気４の通風方向、すなわち荷電部２に流入する汚染空気４の流れの方向に平行とされた状態で配置される。荷電部放電電極７が金属板によって構成される場合には、荷電部２に流入する汚染空気４の流れの方向に金属板の面内方向が平行とされた状態で配置される。荷電部放電電極７がワイヤ線またはリボン線で構成される場合には、荷電部２に流入する汚染空気４の流れの方向にワイヤ線またはリボン線の長手方向が平行とされた状態で配置される。
【００１８】
荷電部放電電極７は、金属板または伸縮可能な金属製ばねといった接続部材を介して図示しない電気集塵装置１の筐体に固定される。荷電部放電電極７の基材は、ステンレス、タングステン、チタン、炭素素材といった導電材料から適宜選択されればよい。また、荷電部放電電極７には、導電性樹脂といった絶縁性からなる基材に対して金、銀、白金といった金属材料のメッキを施したもの、金属からなる基材に対して金、銀、白金といった金属材料のメッキまたはクラッド材による表面処理を施したもの、カーボンなどの導電材料により導電性が付与された導電性樹脂を使用してもよい。
【００１９】
荷電部対向電極８は、平板状の形状を有し、荷電部放電電極７との間に既定の間隔をおいて配置され、荷電部放電電極７との間で電位差を形成する電極であり、高電圧電源６のグランドに接続され、電位がグランド電位、すなわち０Ｖとされている。荷電部対向電極８は、荷電部放電電極７との間に既定の間隔をおいて対向し、かつ汚染空気４の通風方向、すなわち荷電部２に流入する汚染空気４の流れの方向に面内方向が平行とされた状態で配置される。荷電部対向電極８は、金属板または伸縮可能な金属製ばねといった接続部材を介して図示しない電気集塵装置１の筐体に固定される。荷電部対向電極８の基材は、荷電部放電電極７と同様の材料を用いることができる。
【００２０】
図１に示すように、荷電部放電電極７と荷電部対向電極８とは、汚染空気４の通風方向に対して平行方向に、一定間隔で複数個が交互に、互いに平行に配置される。荷電部放電電極７と荷電部対向電極８との間の距離がは、５ｍｍから１０ｍｍ程度にすればよい。荷電部放電電極７と荷電部対向電極８との間の距離が５ｍｍより短い場合には、荷電部放電電極７と荷電部対向電極８との間で放電が生じた際に火花放電になる可能性がある。また、荷電部放電電極７と荷電部対向電極８との間の距離が１０ｍｍより長い場合には、荷電部放電電極７に一定の電流を通電させるために必要な印加電圧が大きくなり、高電圧電源６の容量およびサイズの大きいものが必要となり、装置の大型化に繋がる。
【００２１】
なお、ここでは、荷電部放電電極７の数量を２つ、荷電部対向電極８の数量を３つとした場合を示しているが、荷電部放電電極７および荷電部対向電極８の数量はこれらの数量に限定されない。
【００２２】
集塵部高圧電極９は、平板状の形状を有し、高電圧電源６によって電圧が印加されて、集塵部対向電極１０との間に平等電界を形成する電極である。集塵部高圧電極９は、集塵部対向電極１０との間に既定の間隔をおいて対向し、かつ汚染空気４の通風方向、すなわち集塵部３に流入する汚染空気４の流れの方向に面内方向が平行とされた状態で配置される。集塵部高圧電極９の基材は、荷電部放電電極７と同様の材料を用いることができる。なお、集塵部高圧電極９の形状は、集塵部対向電極１０との間に平等電界を形成して微粒子を集塵できれば、平板状に限定されない。
【００２３】
集塵部対向電極１０は、平板状の形状を有し、集塵部高圧電極９との間に既定の間隔をおいて配置され、集塵部高圧電極９との間に平等電界を形成する電極であり、高電圧電源６のグランドに接続され、電位がグランド電位、すなわち０Ｖとされている。集塵部対向電極１０の基材は、荷電部放電電極７と同様の材料を用いることができる。なお、集塵部対向電極１０の基材は、荷電部放電電極７と同様の材料でもよいが、導電性が高すぎると集塵部高圧電極９との間に異常放電が発生するため、表面抵抗が１０５Ωから１０１３Ωの範囲の半導電性樹脂を使用することが好ましい。
【００２４】
図１に示すように、集塵部高圧電極９と集塵部対向電極１０とは、汚染空気４の通風方向に対して平行方向に、一定間隔で複数個が交互に、互いに平行に配置される。集塵部高圧電極９と集塵部対向電極１０との間の距離は２ｍｍから５ｍｍ程度とすればよい。集塵部高圧電極９と集塵部対向電極１０との間の距離が２ｍｍより短い場合には、汚染空気４の通風時の圧力損失が大きくなり、汚染空気４を送風するための送風機の負荷が増加することで目的の風量が得られない場合がある。また、集塵部高圧電極９と集塵部対向電極１０との間の距離が５ｍｍより長い場合には、電気集塵装置１のサイズが大きくなり、送風機といった機器に組み込めない可能性がある。また、集塵部高圧電極９と集塵部対向電極１０との間の電界強度が低下し、集塵部３の集塵効率が低下する。さらに、集塵部高圧電極９と集塵部対向電極１０との間に既定の電界強度を形成するために必要な印加電圧が大きくなり、絶縁性および安全性において課題が発生する可能性がある。
【００２５】
微粒子センサ１１は、処理対象となる空気中の微粒子の数量を検出する粒子センサであり、汚染空気４の粒子状の数量を検出する。微粒子センサ１１は、荷電部放電電極７と荷電部対向電極８との間の荷電空間に流入する汚染空気４中の微粒子の数量を検出する。微粒子センサ１１は、制御部１２と通信可能とされており、汚染空気４の微粒子の数量の検出結果を制御部１２に送信する。微粒子センサ１１には、空気中にレーザビームを照射し、微粒子に当たって散乱されたレーザ光の受光レベルを測定することによって空気中の粒子状の数量を検出する半導体レーザ式の粒子センサを用いることができる。なお、微粒子センサ１１は、これに限定されない。また、微粒子センサ１１で測定する微粒子の粒子径は、特に限定されず電気集塵装置１の仕様によって適宜選択されればよく、たとえば０．３μｍから１０μｍの範囲で必要な粒子径が選択されればよい。
【００２６】
図２は、本発明の実施の形態１にかかる電気集塵装置１の制御に関わる主要部分の機能構成図である。制御部１２は、高電圧電源６および微粒子センサ１１と通信可能とされ、高電圧電源６から荷電部放電電極７および集塵部高圧電極９への電圧の印加を制御する。そして、制御部１２は、微粒子センサ１１での微粒子数の検出結果に基づいて、高電圧電源６から荷電部放電電極７への電圧の印加を制御する。
【００２７】
制御部１２は、例えば、図３に示したハードウェア構成の処理回路として実現される。図３は、本発明の実施の形態１にかかる処理回路のハードウェア構成の一例を示す図である。制御部１２が図３に示したハードウェア構成の処理回路として実現される場合には、制御部１２は、例えば、図３に示すプロセッサ１０１がメモリ１０２に記憶されたプログラムを実行することにより、実現される。また、複数のプロセッサおよび複数のメモリが連携して上記機能を実現してもよい。また、制御部１２の機能のうちの一部を電子回路として実装し、他の部分をプロセッサ１０１およびメモリ１０２を用いて実現するようにしてもよい。
【００２８】
図４は、本発明の実施の形態１にかかる電気集塵装置１における集塵部高圧電極９と集塵部対向電極１０との配置構成を示す模式図である。上述した集塵部高圧電極９と集塵部対向電極１０との配置構成は、図４に示すように、汚染空気４の通風方向に対して平行方向に、且つ荷電部放電電極７と荷電部対向電極８との面内方向と平行な面に対して平行方向に、一定間隔で配置された構成とされている。
【００２９】
図５は、本発明の実施の形態１にかかる電気集塵装置１における集塵部高圧電極９と集塵部対向電極１０との他の配置構成を示す模式図である。また、集塵部高圧電極９と集塵部対向電極１０との配置構成は、図５に示すように、汚染空気４の通風方向に対して平行方向に、且つ荷電部放電電極７と荷電部対向電極８との面内方向と平行な面に対して垂直方向に、一定間隔で配置された構成とされてもよい。図４および図５においては、荷電部放電電極７として、面内において一定間隔で突起を備える金属板からなる荷電部放電電極７を示している。なお、突起の図示は省略している。
【００３０】
実際の使用形態において、上述した高電圧電源６、荷電部放電電極７、荷電部対向電極８、集塵部高圧電極９、集塵部対向電極１０、微粒子センサ１１および制御部１２は、合成樹脂または金属といった任意の部材で構成された図示しない風洞部品または支持部品によって、筐体に固定される。この風洞部品または支持部品は特に限定されるものではなく、電気集塵装置１の用途に合わせて適宜選択すればよい。
【００３１】
つぎに、上述した本実施の形態１にかかる電気集塵装置１の集塵動作について説明する。なお、以下では、荷電部放電電極７および集塵部高圧電極９に対して正極性の電圧を印加する場合について説明する。図６は、本発明の実施の形態１にかかる電気集塵装置１における集塵動作の手順を示すフローチャートである。
【００３２】
まず、汚染空気４が荷電部放電電極７と荷電部対向電極８との間の荷電空間に流入する状態で、高電圧電源６から荷電部放電電極７と荷電部対向電極８との各々に制御部１２の制御によって既定の電圧が印加されると、荷電空間においてコロナ放電が発生して荷電部放電電極７から電荷が放出され、汚染空気４に含まれる微粒子がこの電荷によって荷電され、帯電する。なお、制御部１２は、荷電部放電電極７へ印加する電圧値を、通常の集塵動作を実行する際の既定の電圧値Ｖ１とする。
【００３３】
荷電された微粒子は汚染空気４の流れに乗って集塵部３に流されて集塵部高圧電極９と集塵部対向電極１０との間の集塵空間に移動する。この集塵空間には集塵部高圧電極９に電圧が印加されることによって静電界が形成されている。このため、荷電された微粒子はクーロン力によって集塵部高圧電極９の面の方向に、または集塵部対向電極１０の面の方向に移動して集塵部高圧電極９または集塵部対向電極１０に吸着される。これにより、汚染空気４中から微粒子が除去され、集塵部３に流れ込んだ汚染空気４は清浄空気５に変えられて集塵部の外部に排出される。これにより、電気集塵装置１の周囲の空気が循環して電気集塵装置１に吸い込まれて、空気中の微粒子の集塵が行われる。
【００３４】
上述した電気集塵装置１の集塵動作が開始されると、ステップＳ１０において、微粒子センサ１１が、既定の一定時間毎に荷電部放電電極７と荷電部対向電極８との荷電空間に流入する汚染空気４中の微粒子数を検出し、検出結果を制御部１２に送信する。既定の一定時間は、あらかじめ微粒子センサ１１に記憶されており、電気集塵装置１の仕様によって適宜変更可能である。
【００３５】
制御部１２は、汚染空気４中の微粒子数の検出結果を受信すると、ステップＳ２０において、検出結果と既定の第１下限基準値Ｐ１とに基づいて、汚染空気４中の微粒子数が第１下限基準値Ｐ１以下になったか否かを判定する。第１下限基準値Ｐ１は、電気集塵装置１での集塵動作によって、集塵の必要性がない状態まで周囲の空気中の微粒子数が減少したときの汚染空気４中の微粒子数の値である。また、第１下限基準値Ｐ１は、制御部１２が高電圧電源６からの荷電部放電電極７への電圧の印加の停止制御を行う際の基準となる周囲の空気中の微粒子の数量である。第１下限基準値Ｐ１は、あらかじめ制御部１２に記憶されており、電気集塵装置１の仕様によって適宜変更可能である。
【００３６】
汚染空気４中の微粒子数が第１下限基準値Ｐ１より大きい場合、すなわちステップＳ２０においてＮｏの場合は、制御部１２はステップＳ２０に戻って処理を繰り返す。
【００３７】
汚染空気４中の微粒子数が第１下限基準値Ｐ１以下になった場合、すなわちステップＳ２０においてＹｅｓの場合は、制御部１２は、荷電部２における荷電動作を停止させるために、荷電部放電電極７への電圧の印加を制御する制御信号を高電圧電源６に送信して、高電圧電源６から荷電部放電電極７への電圧の印加を制御する。ここで、制御部１２は、荷電部放電電極７へ印加する電圧値を０Ｖとする旨の制御信号、すなわち高電圧電源６から荷電部放電電極７への電圧の印加を停止させる旨の停止指示信号を、高電圧電源６に送信する。
【００３８】
なお、制御部１２は、荷電部２における荷電動作を停止させるために、荷電部放電電極７へ印加する電圧を、コロナ放電が発生しない範囲の低い電圧に制御することも可能である。ただし、消費電力の観点からは、制御部１２は、荷電部放電電極７へ印加する電圧値を０Ｖとする制御を行うことが好ましい。
【００３９】
高電圧電源６は、停止指示信号を受信すると、ステップＳ３０において、停止指示信号に基づいて荷電部放電電極７へ印加する電圧値を０Ｖとし、荷電部放電電極７への電圧の印加を停止させる。なお、制御部１２は、高電圧電源６から荷電部放電電極７への電圧の印加を停止させる制御を行う際に、高電圧電源６から集塵部高圧電極９への電圧の印加を停止させる制御を同時に行ってもよい。これにより、荷電部放電電極７への電圧の印加を停止させている間の集塵部高圧電極９への電圧の印加を停止して、電力の削減が可能である。
【００４０】
荷電部放電電極７への電圧の印加が停止されて電気集塵装置１の集塵動作が実施されないと、外気の侵入によって電気集塵装置１の周囲の空気中の微粒子数は増加する。そこで、ステップＳ４０において、微粒子センサ１１が、既定の一定時間毎に荷電部放電電極７と荷電部対向電極８との荷電空間に流入する汚染空気４中の微粒子数を検出し、検出結果を制御部１２に送信する。
【００４１】
制御部１２は、汚染空気４中の微粒子数の検出結果を受信すると、ステップＳ５０において、検出結果と既定の上限基準値とに基づいて、汚染空気４中の微粒子数が上限基準値以上になったか否かを判定する。上限基準値は、集塵の必要性がある状態まで周囲の空気中の微粒子数が増加したときの汚染空気４中の微粒子数の値であり、制御部１２が高電圧電源６からの荷電部放電電極７への電圧の印加の開始制御を行う際の基準となる周囲の空気中の微粒子の数量である。上限基準値は、あらかじめ制御部１２に記憶されており、電気集塵装置１の仕様によって適宜変更可能である。
【００４２】
汚染空気４中の微粒子数が上限基準値未満である場合、すなわちステップＳ５０においてＮｏの場合は、制御部１２はステップＳ５０に戻って処理を繰り返す。
【００４３】
汚染空気４中の微粒子数が上限基準値以上になった場合、すなわちステップＳ５０においてＹｅｓの場合は、制御部１２は、荷電部放電電極７への電圧の印加を制御する制御信号を高電圧電源６に送信して、高電圧電源６から荷電部放電電極７への電圧の印加を制御する。ここで、制御部１２は、荷電部放電電極７へ印加する電圧値を通常の集塵動作を実行する際の既定の電圧値Ｖ１とする旨の制御信号、すなわち高電圧電源６から荷電部放電電極７に電圧を印加して荷電部２の動作を開始させる旨の動作開始指示信号を、高電圧電源６に送信する。
【００４４】
高電圧電源６は、動作開始指示信号を受信すると、ステップＳ６０において、動作開始指示信号に基づいて荷電部放電電極７へ印加する電圧値を電圧値Ｖ１とし、荷電部放電電極７に電圧を印加して荷電部２の動作を開始させる。これにより電気集塵装置１において微粒子の除去が開始されるため、電気集塵装置１の周囲の空気中の微粒子数を減少させることができる。なお、制御部１２は、高電圧電源６から荷電部放電電極７に電圧を印加して荷電部２の動作を開始させる制御を行う際には、高電圧電源６から集塵部高圧電極９への電圧の印加を開始させる制御も同時に行う。
【００４５】
その後は、ステップＳ１０に戻って上述した処理が繰り返される。
【００４６】
上記のように荷電空間においてコロナ放電が行われると、空気中に存在する揮発性のシリコン化合物が酸化されて絶縁物であるシリカが生成され、荷電部放電電極７の先端に付着する。ここで、荷電部放電電極７の先端とは、荷電部放電電極７が面内において一定間隔で突起を備える金属板によって構成される場合には、突起の先端である。荷電部放電電極７がワイヤ線またはリボン線で構成される場合には、ワイヤ線またはリボン線において高電圧電源６に接続されていない側の先端部であってコロナ放電が発生する先端部である。
【００４７】
荷電部放電電極７の先端に付着するシリカの量は、コロナ放電の行われる時間、すなわち、高電圧電源６から荷電部放電電極７に電圧が印加されている時間に比例して増加する。このため、常時、高電圧電源６から荷電部放電電極７に電圧を印加して荷電空間においてコロナ放電を発生させている場合には、荷電部放電電極７への電圧の印加時間に比例して荷電部放電電極７の先端に付着するシリカの量が増えていく。
【００４８】
一方、電気集塵装置１では、上述したように、電気集塵装置１での集塵動作により空気中の微粒子数が減少し、集塵の必要性がない状態にある場合は、制御部１２によって荷電部放電電極７への電圧の印加が停止されるため、不要なコロナ放電の発生を防止して荷電部放電電極７へのシリカの付着量の低減を図ることができる。すなわち、電気集塵装置１では、一定の集塵性能を確保した上で、コロナ放電の発生時間の積算時間を短くすることができるため、一定期間における荷電部放電電極７へのシリカの付着速度を低減することができる。
【００４９】
そして、電気集塵装置１では、荷電部放電電極７への電圧の印加が停止されて電気集塵装置１の集塵動作を停止させた後に、電気集塵装置１の周囲の空気中の微粒子数が上限基準値以上に増加した場合には、制御部１２によって荷電部放電電極７に電圧が印加されて電気集塵装置１の集塵動作が再開される。すなわち、電気集塵装置１では、制御部１２は、汚染空気４中の微粒子数の検出結果と、第１下限基準値と、上限基準値とに基づいて、電気集塵装置１の集塵動作の実行と、電気集塵装置１の集塵動作の停止とを交互に不定期なサイクル的に繰り返す制御を行う。
【００５０】
これにより、電気集塵装置１では、電気集塵装置１の周囲の空気に対する集塵動作を必要に応じて実行し、必要以上の無駄な集塵動作を削除することができる。したがって、常時、集塵動作を実施する場合と比べて、荷電部放電電極７へ電圧を印加する時間を短縮して、荷電部放電電極７へのシリカの付着速度を低減できるので、荷電部放電電極７へのシリカの付着に起因した電気集塵装置１の集塵機能の低下を抑制し、集塵機能の長寿命化を実現することができる。
【００５１】
また、荷電部放電電極７へ印加する印加電圧値を高くするほど、単位時間あたりに電気集塵装置１で除去される微粒子数が多くなり、空気中の微粒子数の減少量が多くなる。一方、コロナ放電が発生する範囲で荷電部放電電極７へ印加する印加電圧値を低くするほど、単位時間あたりに電気集塵装置１で除去される微粒子数が少なくなり、空気中の微粒子数の減少量が少なくなる。ここで、単位時間あたりの荷電部放電電極７へのシリカの付着量は、荷電部放電電極７へ印加する電圧値が高いほど、多くなる。
【００５２】
そこで、電気集塵装置１では、空気中の微粒子数に応じて荷電部放電電極７へ印加する電圧値を階段状に変化させてもよい。すなわち、電気集塵装置１の周りの空気中の微粒子数が多い環境では、荷電部放電電極７へ印加する印加電圧値を高くして、単位時間あたりに電気集塵装置１で除去される微粒子数を多くし、空気中の微粒子数の減少量を増加させる。また、電気集塵装置１の周りの空気中の微粒子数が少ない環境では、コロナ放電が発生する範囲で荷電部放電電極７へ印加する印加電圧値を低くして、単位時間あたりに電気集塵装置１で除去される微粒子数が少なくし、空気中の微粒子数の減少量を少なくする。そして、荷電部放電電極７へ印加する印加電圧値を低くすることによって、単位時間あたりの荷電部放電電極７へのシリカの付着量を低減することができる。
【００５３】
以下、空気中の微粒子数に応じて荷電部放電電極７へ印加する電圧値を階段状の電圧波形に変化させる場合の制御について説明する。図７は、本発明の実施の形態１にかかる電気集塵装置１における集塵動作の他の手順を示すフローチャートである。
【００５４】
まず、上記と同様にして制御部１２の制御によって高電圧電源６から荷電部放電電極７と荷電部対向電極８との各々に既定の電圧が印加されて、電気集塵装置１における集塵動作が開始される。なお、制御部１２は、荷電部放電電極７へ印加する電圧値を、通常の集塵動作を実行する際の既定の電圧値Ｖ１とする。
【００５５】
電気集塵装置１の集塵動作が開始されると、ステップＳ１１０において、微粒子センサ１１が、既定の一定時間毎に荷電部放電電極７と荷電部対向電極８との荷電空間に流入する汚染空気４中の微粒子数を検出し、検出結果を制御部１２に送信する。
【００５６】
制御部１２は、汚染空気４中の微粒子数の検出結果を受信すると、ステップＳ１２０において、検出結果と既定の第２下限基準値Ｐ２とに基づいて、汚染空気４中の微粒子数が第２下限基準値Ｐ２以下になったか否かを判定する。第２下限基準値Ｐ２は、電気集塵装置１での集塵動作によって、集塵の必要性があるが極端には空気中の微粒子数が多くない状態まで周囲の空気中の微粒子数が減少したときの汚染空気４中の微粒子数の値である。また、第２下限基準値Ｐ２は、制御部１２が高電圧電源６からの荷電部放電電極７への電圧の印加の低減制御を行う際の基準となる周囲の空気中の微粒子の数量である。第２下限基準値Ｐ２は、あらかじめ制御部１２に記憶されており、電気集塵装置１の仕様によって適宜変更可能である。
【００５７】
汚染空気４中の微粒子数が第２下限基準値Ｐ２より大きい場合、すなわちステップＳ１２０においてＮｏの場合は、制御部１２はステップＳ１２０に戻って処理を繰り返す。
【００５８】
汚染空気４中の微粒子数が第２下限基準値Ｐ２以下になった場合、すなわちステップＳ１２０においてＹｅｓの場合は、制御部１２は、荷電部放電電極７への電圧の印加を制御する制御信号を高電圧電源６に送信して、高電圧電源６から荷電部放電電極７への電圧の印加を制御する。ここで、制御部１２は、荷電部放電電極７へ印加する電圧値を、コロナ放電が発生する範囲で通常の集塵動作を実行する際の電圧値Ｖ１よりも低減した電圧値Ｖ２とする旨の制御信号、すなわち高電圧電源６から荷電部放電電極７に印加する電圧を低減させる旨の印加電圧低減指示信号を、高電圧電源６に送信する。
【００５９】
高電圧電源６は、印加電圧低減指示信号を受信すると、ステップＳ１３０において、印加電圧低減指示信号に基づいて荷電部放電電極７へ印加する電圧値を電圧値Ｖ２とし、荷電部放電電極７への印加電圧値を電圧値Ｖ２に低減させる。これにより、電気集塵装置１では、荷電部放電電極７へ印加する電圧が電圧値Ｖ１の場合よりも、単位時間あたりに除去される微粒子数が少ない状態で、かつ単位時間あたりに荷電部放電電極７に付着するシリカの付着量が少ない状態で、集塵動作が行われる。そして、荷電部放電電極７へ印加する印加電圧値を低くすることによって、単位時間あたりの荷電部放電電極７へのシリカの付着量を低減しつつ、集塵動作が行われる。
【００６０】
これ以降は、図６のフローチャートに示したステップＳ１０からステップＳ６０が実施される。なお、ステップＳ６０の実施後は、ステップＳ１１０に戻って上述した処理が繰り返される。
【００６１】
図８は、本発明の実施の形態１にかかる電気集塵装置１の集塵動作が図７に示されるフローチャートの手順で実行される場合の、荷電部放電電極７に印加される電圧の波形を示す特性図である。この場合、高電圧電源６から荷電部放電電極７に印加される電圧の波形は、図８に示すように階段状の電圧波形となる。
【００６２】
上述したように、電気集塵装置１では、荷電部放電電極７へ印加する電圧値を階段状の電圧波形に変化させた電気集塵装置１の集塵動作の実行と、電気集塵装置１の集塵動作の停止とを空気中の微粒子数に応じて交互に不定期なサイクル的に繰り返す制御を行ってもよい。すなわち、制御部１２は、荷電部放電電極７に印加する電圧を複数段階で段階的に降圧させて荷電部放電電極７への電圧の印加を停止させる制御を行ってもよい。この場合も、電気集塵装置１では、電気集塵装置１の周囲の空気に対する集塵動作を必要に応じて実行し、必要以上の無駄な集塵動作を削除することができる。したがって、常時、集塵動作を実施する場合と比べて、荷電部放電電極７へ電圧を印加する時間を短縮して、荷電部放電電極７へのシリカの付着速度を低減できるので、荷電部放電電極７へのシリカの付着に起因した電気集塵装置１の集塵機能の低下を抑制し、集塵機能の長寿命化を実現することができる。
【００６３】
ここでは、荷電部放電電極７へ印加する電圧値を２段階で降圧する場合について示しているが、荷電部放電電極７へ印加する電圧値を３段階以上の段階を経て降圧させてもよい。
【００６４】
また、上述した制御部１２における、集塵動作のために荷電部放電電極７の電圧を昇圧させる制御においては、常時、既定の電圧を印加する方式、または荷電部２に既定の電流を通電させるために必要な電圧を適宜選択して印加する方式を選択することができるが、電気集塵装置１に要求される仕様に合わせて適宜選択されればよい。また、荷電部放電電極７へ印加した電圧を降圧させるための制御部１２における制御では、集塵動作を停止させる場合には０Ｖ、すなわち高電圧電源６のグランド電位が、また、単位時間あたりに除去される微粒子数を低減させた集塵動作を行う場合にはコロナ放電が発生する範囲で既定の電圧値が、適宜選択されればよい。
【００６５】
また、荷電部放電電極７と荷電部対向電極８との間の荷電空間でコロナ放電を発生させると、コロナ放電によって荷電空間内の分子がイオン化し、イオン化した分子は荷電部対向電極８に向かって流れる。この分子の流れにより、イオン風が形成される。したがって、荷電部放電電極７と荷電部対向電極８との間の荷電空間でコロナ放電を発生させると、荷電部放電電極７の先端から荷電部対向電極８における荷電部放電電極７に対向する面に向かって強いイオン風が発生する。
【００６６】
そこで、制御部１２は、荷電部放電電極７の先端に付着したシリカをイオン風によって除去するために、荷電部放電電極７に対する電圧の印加と、荷電部放電電極７に対する電圧の印加の停止または荷電部放電電極７に対する印加電圧の低減と、を繰り返す制御を行う。これにより、電気集塵装置１では、これまでの集塵動作、すなわちコロナ放電の発生によって荷電部放電電極７の先端に付着したシリカを、イオン風によって吹き飛ばして除去することができる。そして、上記の制御を繰り返し行って、荷電部放電電極７の先端に付着したシリカをイオン風によって吹き飛ばすことで、荷電部放電電極７の先端に堆積したシリカを削減することが可能である。
【００６７】
この場合、荷電部放電電極７の昇圧幅が大きいほど、強いイオン風が起こる。このため、荷電部放電電極７の先端に付着したシリカをイオン風によって吹き飛ばす観点からは、荷電部放電電極７の昇圧幅が大きいことが好ましい。
【００６８】
したがって、図６のフローチャートに示した制御においては、通常の集塵動作を実行する際の電圧値Ｖ１が高いことが好ましい。そして、荷電部２における荷電動作を停止させるために、ステップＳ３０において荷電部放電電極７へ印加する電圧が０Ｖ、すなわちグランド電位に制御されることによって、その効果は高くなる。ステップＳ３０において降圧させる荷電部放電電極７の電圧が０Ｖ、すなわちグランド電位に制御されることで、昇圧された荷電部放電電極７の電位から、電圧値Ｖ１までの昇圧幅を大きくすることができる。
【００６９】
また、図７のフローチャートに示した制御においても、通常の集塵動作を実行する際の電圧値Ｖ１が高いことが好ましい。そして、ステップＳ３０において降圧させる荷電部放電電極７の電圧は０Ｖ、すなわちグランド電位に制御されることが好ましい。
【００７０】
荷電部放電電極７の先端に付着したシリカをイオン風によって吹き飛ばす制御の例として、電気集塵装置１の稼動開始時に、すなわち荷電部２の稼働開始時に、既定の時間だけ、荷電部放電電極７へ印加する電圧値を通常の集塵動作を実行する際の電圧値Ｖ１よりも高い電圧値Ｖ０とする制御を行い、その後、上記の制御を実施してもよい。この場合は、空気中の微粒子を減少しながら荷電部放電電極７へ生成付着するシリカ量を減らすことができる。さらに、電気集塵装置１の稼動初期において荷電部放電電極７に高い電圧値Ｖ０を印加することによって、より強いイオン風を発生させることができる。これにより、荷電部放電電極７の先端に付着したシリカを、より強いイオン風によって吹き飛ばして除去することができる。
【００７１】
なお、上記においては、荷電部放電電極７および集塵部高圧電極９に対して正極性の電圧を印加する場合について説明したが、荷電部放電電極７および集塵部高圧電極９に対して負極性の電圧を印加する場合には、電圧値の絶対値が上記の説明に付合するように設定されればよい。
【００７２】
上述したように、本実施の形態１にかかる電気集塵装置１では、電気集塵装置１での集塵動作により空気中の微粒子数が減少し、集塵の必要性がない状態にある場合は、荷電部放電電極７への電圧の印加が停止または低減されて、荷電部放電電極７と荷電部対向電極８との間の荷電空間におけるコロナ放電の発生が停止される。そして、電気集塵装置１の周囲の空気中の微粒子数が集塵の必要性がある状態に増加した場合には、荷電部放電電極７に電圧が印加されて電気集塵装置１の集塵動作が再開される。
【００７３】
すなわち、電気集塵装置１では、電気集塵装置１の集塵動作の実行と、電気集塵装置１の集塵動作の停止とが交互にサイクル的に繰り返される。このため、電気集塵装置１では、荷電部放電電極７と荷電部対向電極８との間の荷電空間における不要なコロナ放電の発生を防止して荷電部放電電極７へのシリカの付着量を低減し、荷電部放電電極７へのシリカの付着速度を低減することができる。
【００７４】
また、電気集塵装置１では、荷電部放電電極７に対する電圧の印加と、荷電部放電電極７に対する電圧の印加の停止または荷電部放電電極７に対する印加電圧の低減と、を繰り返すことで、荷電部放電電極７の先端に付着したシリカを、イオン風によって吹き飛ばして除去することができる。
【００７５】
したがって、本実施の形態１にかかる電気集塵装置１によれば、荷電部放電電極７へのシリカの付着に起因した電気集塵装置１の集塵機能の低下を抑制し、集塵機能の長寿命化を実現することができ、放電動作による電極への付着物の付着に起因した集塵機能の低下を抑制可能な電気集塵装置が得られる。
【００７６】
実施の形態２．
図９は、本発明の実施の形態２にかかる送風機２１の概略構成を示す模式図である。本実施の形態２にかかる送風機２１は、上述した実施の形態１にかかる電気集塵装置１を備えた送風機である。
【００７７】
送風機２１は、筐体２６の内部に、送風機本体２２と電気集塵装置１とを備える。送風機本体２２は、送風機本体２２における空気の流入口に設けられたフィルター２３と、送風機本体２２の内部に設けられた通風路２４と、汚染空気４を電気集塵装置１に送風する送風部であるファン２５と、を備える。送風部としてのファン２５が動作すると、送風機本体２２の外部の汚染空気４がフィルター２３を通過してファン２５に吸引され、ファン２５から送出される。ファン２５から送出された汚染空気４は、電気集塵装置１において清浄化され、流出口２７から清浄空気５として送出される。
【００７８】
なお、図９に示す送風機２１では、ファン２５の動作によって生じる風の通風方向の上流側から順にファン２５と電気集塵装置１とが配置されているが、ファン２５と電気集塵装置１との配置は図９に示す構成に限定されない。
【００７９】
電気集塵装置１では、ファン２５から汚染空気４が送出されて汚染空気４内の微粒子の除去が行われるが、長期間動作を継続すると荷電部放電電極７の端部にシリカが付着する。荷電部放電電極７の端部に付着したシリカを除去するためには、実施の形態１で説明したように、制御部１２の制御によって荷電部放電電極７を昇圧させてイオン風を発生させればよい。
【００８０】
イオン風は、荷電部放電電極７から荷電部対向電極８における荷電部放電電極７に対向する面に向かって発生するが、ファン２５からの汚染空気４の送出方向はイオン風に対して垂直方向である。このため、ファン２５からの汚染空気４が、荷電部放電電極７から荷電部対向電極８へ向かうイオン風を阻害する要因となる。したがって、荷電部放電電極７の端部に付着したシリカを効率的に除去するためには、イオン風を発生させるときに、ファン２５から送出された汚染空気４の通風を停止することが好ましい。
【００８１】
たとえば、送風機２１の稼動初期に、既定の時間だけ、ファン２５を停止させた状態で荷電部放電電極７を昇圧させてイオン風を発生させて、荷電部放電電極７の端部に付着したシリカをイオン風によって除去する。ファン２５の停止は、制御部１２によって制御される。すなわち、制御部１２は、荷電部放電電極７に既定の電圧値の電圧が印加されている状態においてファン２５を既定の時間だけ停止させる制御を行う。制御部１２は、ファン２５の停止を指示する旨のファン停止指示信号を、ファン２５に送信する。ファン２５は、ファン停止指示信号を受信すると、ファン停止指示信号に基づいて停止する。これにより、荷電部放電電極７と荷電部対向電極８との間の荷電空間への汚染空気４の流入が遮断される。
【００８２】
このようにファン２５の動作を停止することにより、ファン２５からの送風によってイオン風の風速が阻害されることなく、荷電部放電電極７の端部に付着したシリカをイオン風によって吹き飛ばすことができる。
【００８３】
そして、一定時間の経過後、ファン２５を運転させて、電気集塵装置１による通常の集塵動作が行われる。ファン２５の運転は、制御部１２によって制御される。制御部１２は、ファン２５の運転を指示する旨のファン運転指示信号を、ファン２５に送信する。ファン２５は、ファン運転指示信号を受信すると、ファン運転指示信号に基づいて運転を開始する。これにより、荷電部放電電極７と荷電部対向電極８との間の荷電空間への汚染空気４の流入が可能となる。
【００８４】
なお、ここでは、制御部１２がファン２５の制御を行う送風部制御部としての機能も有しているが、上述したファン２５の制御を行う送風部制御部を制御部１２とは別に設けてもよい。
【００８５】
また、ファン２５を一定時間停止するタイミングは、汚染空気４中の微粒子数が下限規定値まで低下した後であって荷電部放電電極７への電圧の印加を停止させる前とされてもよく、任意のタイミングでファン２５を停止させて荷電部放電電極７の端部に付着したシリカの除去を行うことが可能である。
【００８６】
図１０は、本発明の実施の形態２にかかる送風機２１の他の概略構成を示す要部模式図である。ファン２５の動作を停止させる代わりに、図１０に示すように荷電部放電電極７と荷電部対向電極８との間の荷電空間への汚染空気４の流入を遮断可能なシャッター１３を設けてもよい。
【００８７】
シャッター１３は、ファン２５の動作によって生じる風の通風方向において、汚染空気４の流れの上流側であって、荷電部放電電極７と荷電部対向電極８との間の荷電空間への汚染空気４の流入を遮断可能な位置に設置される。すなわち、シャッター１３は、ファン２５と電気集塵装置１の荷電部２との間に配置されてシャッター１３から送風される汚染空気４の荷電部２への流入を遮断する。シャッター１３は、荷電部放電電極７の端部に付着したシリカをイオン風によって除去する際に閉じられて、ファン２５からの送風によってイオン風の風速が阻害されることを防止する。また、荷電部放電電極７の端部に付着したシリカをイオン風によって除去することを目的としない動作の場合、すなわち電気集塵装置１が通常の集電動作を行う場合には、シャッター１３が開かれて、ファン２５の動作によって生じる風の通風方向においてファン２５からの送風による汚染空気４の荷電空間への流入が可能とされる。
【００８８】
シャッター１３は、荷電部放電電極７と荷電部対向電極８との間の荷電空間の風上側、すなわちファン２５の動作によって生じる風の通風方向における荷電空間の上流側に設けられる。シャッター１３は、ファン２５の動作によって生じる風の通風方向において荷電空間への汚染空気４の流入を遮断できればよく、形状および材質は適宜選択されればよい。また、荷電部放電電極７と荷電部対向電極８とが複数組積層されている場合は、全ての荷電空間を遮断することが好ましいが、一部の荷電空間のみを遮断するように構成することも可能である。
【００８９】
たとえば、送風機２１の稼動初期に、一定時間だけ、シャッター１３を閉じた状態で荷電部放電電極７を昇圧させてイオン風を発生させて、荷電部放電電極７の端部に付着したシリカをイオン風によって除去する。シャッター１３の閉鎖は、制御部１２によって制御される。制御部１２は、シャッター１３の閉鎖を指示する旨の閉鎖指示信号を、シャッター１３を駆動する図示しないシャッター駆動部に送信する。シャッター駆動部は、閉鎖指示信号を受信すると、閉鎖指示信号に基づいてシャッター１３を閉じる。これにより、荷電部放電電極７と荷電部対向電極８との間の荷電空間への汚染空気４の流入が遮断される。
【００９０】
このようにシャッター１３を閉じることにより、ファン２５からの送風によってイオン風の風速が阻害されることなく、荷電部放電電極７の端部に付着したシリカをイオン風によって吹き飛ばすことができる。
【００９１】
そして、一定時間の経過後、シャッター１３を開放して、電気集塵装置１による通常の集塵動作が行われる。シャッター１３の開放は、制御部１２によって制御される。制御部１２は、シャッター１３の開放を指示する旨の開放指示信号を、シャッター駆動部に送信する。シャッター駆動部は、開放指示信号を受信すると、開放指示信号に基づいてシャッター１３を開放する。これにより、荷電部放電電極７と荷電部対向電極８との間の荷電空間への汚染空気４の流入が可能となる。
【００９２】
なお、シャッター１３を閉じている時間は、電気集塵装置１の仕様によって適宜選択されればよく、一定時間後にシャッター１３を開放して通常の集塵動作が行われる。また、シャッター１３を閉じるタイミングは、汚染空気４中の微粒子数が下限規定値まで低下した後であって荷電部放電電極７への電圧の印加を停止させる前とされてもよく、任意のタイミングでシャッター１３を閉じて荷電部放電電極７の端部に付着したシリカの除去を行うことが可能である。
【００９３】
ここでは、制御部１２がシャッター１３の制御を行うシャッター制御部としての機能も有しているが、上述したファン２５の制御を行うシャッター制御部を制御部１２とは別に設けてもよい。
【００９４】
上述したように、本実施の形態２にかかる送風機２１は、実施の形態１にかかる電気集塵装置１を備えるため、実施の形態１の場合と同様の効果を有する。また、本実施の形態２にかかる送風機２１は、荷電部放電電極７と荷電部対向電極８との間の荷電空間への汚染空気４の流入を遮断することによって、ファン２５からの送風によってイオン風の風速が阻害されることなく、荷電部放電電極７の端部に付着したシリカをイオン風によって吹き飛ばすことができる。これにより、本実施の形態２にかかる送風機２１は、荷電部放電電極７へのシリカの付着に起因した電気集塵装置１の集塵機能の低下を抑制し、集塵機能の長寿命化を実現することができる。
【００９５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００９６】
１  電気集塵装置、２  荷電部、３  集塵部、４  汚染空気、５  清浄空気、６  高電圧電源、７  荷電部放電電極、８  荷電部対向電極、９  集塵部高圧電極、１０  集塵部対向電極、１１  微粒子センサ、１２  制御部、１３  シャッター、２１  送風機、２２  送風機本体、２３  フィルター、２４  通風路、２５  ファン、２６  筐体、２７  流出口、１０１  プロセッサ、１０２  メモリ。
【図１】
2018126714.tif 000003
【図２】
2018126714.tif 000004
【図３】
2018126714.tif 000005
【図４】
2018126714.tif 000006
【図５】
2018126714.tif 000007
【図６】
2018126714.tif 000008
【図７】
2018126714.tif 000009
【図８】
2018126714.tif 000010
【図９】
2018126714.tif 000011
【図１０】
2018126714.tif 000012